(57)【要約】【課題】旧情報記憶カードに代わる新情報記憶カードを登録する際に当該新情報記憶カードと対応付けるべき複数の動作制御装置のうちの一部の動作制御装置について当該新情報記憶カードとの対応付けをしなかった場合でも、旧情報記憶カードの使用により被制御装置の動作が許可されることを抑制し、被制御装置の管理の確実性を向上させる。【解決手段】過去に登録されたＩＣカード１５（旧ＩＣカード）が錠前ユニットに対して使用されたときには、当該錠前ユニットによりＩＣカード１５に動作不許可情報１９を書き込む。ＩＣカード１５に動作不許可情報１９が書き込まれた後は、当該ＩＣカード１５が錠前システムのいずれの錠前ユニットに対して使用されても、錠前装置の施解錠動作は許可されない。【選択図】図５
2012102581.tif 000002
【特許請求の範囲】
【請求項１】
情報記憶カードに基づいて被制御装置の動作を制御する動作制御装置であって、
前記情報記憶カードとの間で情報通信を行う通信手段と、
前記情報記憶カードに記憶された識別情報を当該情報記憶カードから前記通信手段により読み取り、当該識別情報に基づいて当該情報記憶カードが現在登録されている情報記憶カードおよび過去に登録されていた情報記憶カードのいずれであるかを判断する判断手段と、
前記判断手段の判断の結果、当該情報記憶カードが現在登録されている情報記憶カードであるときには前記被制御装置の動作を許可し、当該情報記憶カードが過去に登録されていた情報記憶カードであるときには前記被制御装置の動作を許可しないと共に前記通信手段により当該情報記憶カードに動作不許可情報を書き込む制御手段とを備えていることを特徴とする動作制御装置。
【請求項２】
前記判断手段は、前記情報記憶カードに前記動作不許可情報が書き込まれているか否かを判断し、
前記制御手段は、前記判断手段の判断の結果、前記情報記憶カードに前記動作不許可情報が書き込まれているときには前記被制御装置の動作を許可しないことを特徴とする請求項１に記載の動作制御装置。
【請求項３】
記憶手段を備え、
前記識別情報には、前記情報記憶カードを当該動作制御装置に登録した日時を示す登録日時情報が含まれ、
前記記憶手段には、最後に登録された前記情報記憶カードの登録日時を示す登録日時情報が記憶され、
前記判断手段は、前記情報記憶カードから前記通信手段により読み取った前記識別情報に含まれる登録日時情報が示す日時と前記記憶手段に記憶された登録日時情報が示す日時とを比較し、前記識別情報に含まれる登録日時情報が示す日時が前記記憶手段に記憶された登録日時情報が示す日時と一致したときには、当該情報記憶カードが現在登録されている情報記憶カードであると判断し、前記識別情報に含まれる登録日時情報が示す日時が前記記憶手段に記憶された登録日時情報が示す日時よりも前であるときには、当該情報記憶カードが過去に登録されていた情報記憶カードであると判断することを特徴とする請求項１または２に記載の動作制御装置。
【請求項４】
記憶手段を備え、
前記識別情報には、前記情報記憶カードに付加され、当該情報記憶カードが同一の動作制御装置に対応付けられて登録されるたびに増加（または減少）する付加番号が含まれ、
前記記憶手段には、最後に登録された前記情報記憶カードに付加された付加番号が記憶され、
前記判断手段は、前記情報記憶カードから前記通信手段により読み取った前記識別情報に含まれる付加番号と前記記憶手段に記憶された付加番号とを比較し、前記識別情報に含まれる付加番号が前記記憶手段に記憶された付加番号と一致したときには、当該情報記憶カードが現在登録されている情報記憶カードであると判断し、前記識別情報に含まれる付加番号が前記記憶手段に記憶された付加番号よりも小さい（または大きい）ときには、当該情報記憶カードが過去に登録されていた情報記憶カードであると判断することを特徴とする請求項１または２に記載の動作制御装置。
【請求項５】
扉または扉の近傍に設けられる錠前装置と、
請求項１ないし４のいずれかに記載の動作制御装置を包含し、前記被制御装置としての前記錠前装置の施解錠動作を制御することにより、施錠時には前記扉を開扉不能にし、解錠時には前記扉を開扉可能にする錠前制御装置とを備えていることを特徴とする錠前ユニット。
【請求項６】
請求項５に記載の錠前ユニットを複数備え、前記各錠前ユニットは、他の前記錠前ユニットとの間において情報通信を行う手段を備えていないことを特徴とする錠前システム。
【発明の詳細な説明】
【技術分野】
【０００１】
本発明は、ＩＣカードまたは磁気カード等の情報記憶カードに基づいて被制御装置の動作を制御する動作制御装置、このような動作制御装置を適用した錠前ユニット、およびこのような錠前ユニットを複数備えた錠前システムに関する。
【背景技術】
【０００２】
識別情報が記憶されたＩＣカードまたは磁気カード等の情報記憶カードを鍵として利用し、情報記憶カードから読み取った識別情報が正しい識別情報である場合に錠前装置の施解錠動作を許可する技術は知られている（特許文献１参照）。この技術は、例えば、情報記憶カードに記憶された識別情報を情報記憶カードから読み取るカードリーダライタと、カードリーダライタにより情報記憶カードから読み取られた識別情報が正しい識別情報であるか否かを判断し、情報記憶カードから読み取られた識別情報が正しい識別情報である場合に錠前装置の施解錠動作を許可するＣＰＵ（コントロールプロセッシングユニット）と、デッドボルトおよびデッドボルトの移動を制御する機構を有する電気錠等の錠前装置とを備えた錠前ユニットによって具現化することができ、このような構成を備えた錠前ユニットは、例えばホテル、オフィスビル、住宅等の建造物等に広く利用されている。
【０００３】
例えば、ホテルの各部屋に錠前ユニットを適用した場合、通常、部屋ごとに居住者または利用者が相互に異なるので、情報記憶カードと錠前ユニットとが一対一に対応付けられている。すなわち、特定の１枚の情報記憶カードに記憶された識別情報を正しい識別情報と判断することができる錠前ユニットは１つに特定されており、これにより、当該特定の１枚の情報記憶カードの使用によってのみ当該特定の１つの錠前ユニットを施解錠させることができ、当該特定の１つの錠前ユニットが取り付けられた特定の１つの扉を開扉不能（施錠時）にし、あるいは開扉可能（解錠時）にすることができる。
【０００４】
一方、例えば、個人や複数人からなるグループが複数の部屋を共同して利用する場合や、管理人がホテルの各部屋を一括して管理する場合があり、このような場合には、特定の１枚の情報記憶カードを特定の複数の錠前ユニットと対応付けることができる。この場合には、特定の１枚の情報記憶カードに記憶された識別情報を正しい識別情報と判断することができる錠前ユニットが複数特定されており、これにより、当該特定の１枚の情報記憶カードの使用により、当該特定の複数の錠前ユニットのいずれも施解錠させることができる。したがって、当該特定の１枚の情報記憶カードの使用により、当該特定の複数の錠前ユニットがそれぞれ取り付けられた特定の複数の扉のうちの任意の扉を開扉不能にし、あるいは開扉可能にすることができる。
【先行技術文献】
【特許文献】
【０００５】
【特許文献１】特開２００７−９２４３４号公報
【発明の概要】
【発明が解決しようとする課題】
【０００６】
例えば、管理人が、１枚の情報記憶カードを用意し、当該情報記憶カードに記憶された識別情報を正しい識別情報と判断することができる複数の錠前ユニットを特定し、当該情報記憶カードと当該複数の錠前ユニットとを対応付けて当該情報記憶カードの登録を行い、当該情報記憶カードを利用者に手渡したところ、この利用者が当該情報記憶カードを喪失してしまったとする。
【０００７】
そこで、管理人は、利用者が喪失してしまった情報記憶カード（以下、これを「旧情報記憶カード」という。）に代わる新しい情報記憶カード（以下、これを「新情報記憶カード」という。）を用意し、旧情報記憶カードと対応付けた複数の錠前ユニットと同一の錠前ユニットと当該新情報記憶カードとを対応付けて当該新情報記憶カードの登録を行ったとする。これにより、上記特定の複数の錠前ユニットのすべてが当該新情報記憶カードに記憶された識別情報を正しい識別情報と判断することができるようになる。この結果、当該新情報記憶カードの使用によって当該複数の錠前ユニットのいずれをも施解錠動作させることができるようになると共に、旧情報記憶カードの使用によっては当該複数の錠前ユニットのいずれをも施解錠動作させることができなくなる。
【０００８】
しかしながら、管理人が、旧情報記憶カードに代わる新情報記憶カードを上記特定の複数の錠前ユニットのすべてではなく、その一部の錠前ユニットのみに対応付けて当該新情報記憶カードの登録を行ったとする。この場合、旧情報記憶カードの拾得者または窃取者は、旧情報記憶カードを使用することにより、新情報記憶カードの登録の際に当該新情報記憶カードと対応付けられなかった錠前ユニットを施解錠動作させることができてしまう。このような事態は、例えば、管理人が新情報記憶カードと錠前ユニットとを対応づける作業をし忘れた場合や、新情報記憶カードと対応付けるべき錠前ユニットの個数が多く、管理人が新情報記憶カードをすべての錠前ユニットと対応付ける作業を行うのに時間がかかる場合などに起こり得る。このような事態が起こり得る危険を放置していたのでは、錠前ユニットが利用される建造物等のセキュリティを十分に確保することができないという問題がある。
【０００９】
この点、複数の錠前ユニットのそれぞれに、他の錠前ユニットとの間で情報通信を行う機能を持たせることにより、情報記憶カードをすべての錠前ユニットに一遍に対応付けて登録を行うことが可能となる。例えば、各錠前ユニットにこのような通信機能を持たせた場合には、管理人が１つの錠前ユニットに対して新情報記憶カードを登録する操作をしさえすれば、新情報記憶カードと各錠前ユニットとを対応付けるのに必要な情報が、新情報記憶カードと各錠前ユニットとの間で送受信され、すべての錠前ユニットにおいて当該新情報記憶カードとの対応付けが瞬時に完了するといった構成を実現することができる。このような場合、旧情報記憶カードの拾得者または窃取者には、旧情報記憶カードの使用によりいずれかの錠前ユニットを解錠させる機会は与えられない。しかし、このような通信機能を各錠前ユニットに持たせることは多大なコストがかかるという問題がある。
【００１０】
以上のような問題は、建造物等の複数の部屋にそれぞれ設けられた錠前ユニットの管理を行う場合に限らず、建造物等のエントランスに情報記憶カードによって動作する自動ドアが設けられ、この自動ドアの管理を、複数の部屋の錠前ユニットの管理といっしょに行う場合や、建造物等に情報記憶カードによって動作するエレベータが設けられ、このエレベータの管理を、複数の部屋の錠前ユニットの管理といっしょに行う場合等にも起こり得る。
【００１１】
本発明は例えば上述したような問題に鑑みなされたものであり、本発明の課題は、旧情報記憶カードに代わる新情報記憶カードを登録する際に当該新情報記憶カードと対応付けるべき複数の動作制御装置のうちの一部の動作制御装置について当該新情報記憶カードとの対応付けをしなかった場合でも、旧情報記憶カードの使用により被制御装置の動作が許可されることを抑制することができ、被制御装置の管理の確実性を向上させることができる動作制御装置、錠前ユニットおよび錠前システムを提供することにある。
【課題を解決するための手段】
【００１２】
上記課題を解決するために、本発明の第１の動作制御装置は、情報記憶カードに基づいて被制御装置の動作を制御する動作制御装置であって、前記情報記憶カードとの間で情報通信を行う通信手段と、前記情報記憶カードに記憶された識別情報を当該情報記憶カードから前記通信手段により読み取り、当該識別情報に基づいて当該情報記憶カードが現在登録されている情報記憶カードおよび過去に登録されていた情報記憶カードのいずれであるかを判断する判断手段と、前記判断手段の判断の結果、当該情報記憶カードが現在登録されている情報記憶カードであるときには前記被制御装置の動作を許可し、当該情報記憶カードが過去に登録されていた情報記憶カードであるときには前記被制御装置の動作を許可しないと共に前記通信手段により当該情報記憶カードに動作不許可情報を書き込む制御手段とを備えていることを特徴とする。
【００１３】
本発明の第１の動作制御装置によれば、使用された情報記憶カードが過去に登録されていた情報記憶カード（旧情報記憶カード）であるときには、当該情報記憶カードに動作不許可情報が書き込まれる。動作不許可情報が書き込まれた情報記憶カードが使用されたときに被制御装置の動作を許可しないようにする機能を動作制御装置に設けることにより、旧情報記憶カードに代わる新情報記憶カードを登録する際に当該新情報記憶カードと対応付けるべき複数の動作制御装置のうちの一部の動作制御装置について新情報記憶カードとの対応付けをしなかった場合でも、新情報記憶カードとの対応付けがされた動作制御装置に対して旧情報記憶カードが使用された後は、当該旧情報記憶カードが上記複数の動作制御装置のいずれに使用された場合でも、被制御装置の動作が許可されることを防止することができる。
【００１４】
上記課題を解決するために、本発明の第２の動作制御装置は、上述した本発明の第１の動作制御装置において、前記判断手段は、前記情報記憶カードに前記動作不許可情報が書き込まれているか否かを判断し、前記制御手段は、前記判断手段の判断の結果、前記情報記憶カードに前記動作不許可情報が書き込まれているときには前記被制御装置の動作を許可しないことを特徴とする。
【００１５】
本発明の第２の動作制御装置によれば、動作不許可情報が書き込まれた情報記憶カードの使用によって被制御装置が動作することを防止することができる。
【００１６】
上記課題を解決するために、本発明の第３の動作制御装置は、上述した本発明の第１または第２の動作制御装置において、記憶手段を備え、前記識別情報には、前記情報記憶カードを当該動作制御装置に登録した日時を示す登録日時情報が含まれ、前記記憶手段には、最後に登録された前記情報記憶カードの登録日時を示す登録日時情報が記憶され、前記判断手段は、前記情報記憶カードから前記通信手段により読み取った前記識別情報に含まれる登録日時情報が示す日時と前記記憶手段に記憶された登録日時情報が示す日時とを比較し、前記識別情報に含まれる登録日時情報が示す日時が前記記憶手段に記憶された登録日時情報が示す日時と一致したときには、当該情報記憶カードが現在登録されている情報記憶カードであると判断し、前記識別情報に含まれる登録日時情報が示す日時が前記記憶手段に記憶された登録日時情報が示す日時よりも前であるときには、当該情報記憶カードが過去に登録されていた情報記憶カードであると判断することを特徴とする。
【００１７】
本発明の第３の動作制御装置によれば、使用された情報記憶カードが過去に登録されていた情報記憶カード、すなわち旧情報記憶カードであるか否かを容易かつ確実に判断することができる。
【００１８】
上記課題を解決するために、本発明の第４の動作制御装置は、上述した本発明の第１または第２の動作制御装置において、記憶手段を備え、前記識別情報には、前記情報記憶カードに付加され、当該情報記憶カードが同一の動作制御装置に対応付けられて登録されるたびに増加（または減少）する付加番号が含まれ、前記記憶手段には、最後に登録された前記情報記憶カードに付加された付加番号が記憶され、前記判断手段は、前記情報記憶カードから前記通信手段により読み取った前記識別情報に含まれる付加番号と前記記憶手段に記憶された付加番号とを比較し、前記識別情報に含まれる付加番号が前記記憶手段に記憶された付加番号と一致したときには、当該情報記憶カードが現在登録されている情報記憶カードであると判断し、前記識別情報に含まれる付加番号が前記記憶手段に記憶された付加番号よりも小さい（または大きい）ときには、当該情報記憶カードが過去に登録されていた情報記憶カードであると判断することを特徴とする。
【００１９】
本発明の第４の動作制御装置では、付加番号が、情報記憶カードに付加され、当該情報記憶カードが同一の動作制御装置に対応付けられて登録されるたびに増加する番号である場合、判断手段は、情報記憶カードから読み取った識別情報に含まれる付加番号が記憶手段に記憶された付加番号よりも小さいときに、当該情報記憶カードが過去に登録されていた情報記憶カードであると判断する。あるいは、付加番号が、情報記憶カードに付加され、当該情報記憶カードが同一の動作制御装置に対応付けられて登録されるたびに減少する番号である場合、判断手段は、情報記憶カードから読み取った識別情報に含まれる付加番号が記憶手段に記憶された付加番号よりも大きいときに、当該情報記憶カードが過去に登録されていた情報記憶カードであると判断する。このように、本発明の第４の動作制御装置によれば、使用された情報記憶カードが過去に登録されていた情報記憶カード、すなわち旧情報記憶カードであるか否かを容易かつ確実に判断することができる。
【００２０】
上記課題を解決するために、本発明の錠前ユニットは、扉または扉の近傍に設けられる錠前装置と、上述した本発明の第１ないし第４のいずれかの動作制御装置を包含し、前記被制御装置としての前記錠前装置の施解錠動作を制御することにより、施錠時には前記扉を開扉不能にし、解錠時には前記扉を開扉可能にする錠前制御装置とを備えていることを特徴とする。
【００２１】
本発明の錠前ユニットによれば、旧情報記憶カードに代わる新情報記憶カードを登録した後は、旧情報記憶カードに動作不許可情報を書き込むことにより、当該旧情報記憶カードの使用によって錠前装置の施解錠動作が許可されることを防止することができ、セキュリティを向上させることができる。
【００２２】
上記課題を解決するために、本発明の錠前システムは、上述した本発明の錠前ユニットを複数備え、前記各錠前ユニットは、他の前記錠前ユニットとの間において情報通信を行う手段を備えていないことを特徴とする。
【００２３】
本発明の錠前システムによれば、旧情報記憶カードに代わる新情報記憶カードを登録する際に、当該新情報記憶カードと一部の錠前ユニットとの対応付けをしなかった場合でも、新情報記憶カードと対応付けされた錠前ユニットに対して旧情報記憶カードが使用された後は、当該旧情報記憶カードの使用により、錠前システムが有するすべての錠前ユニットにおいて錠前装置の施解錠動作が許可されることを防止することができる。したがって、錠前システムが有する各錠前ユニットが他の錠前ユニットと情報通信を行う手段を備えていないために、情報記憶カードの登録の際に、錠前システムが有するすべての錠前ユニットに対して情報記憶カードとの対応付けを一遍に行うことができない場合であっても、錠前システムのセキュリティ性を向上させることができる。すなわち、各錠前ユニットに他の錠前ユニットと情報通信を行う手段を追加しなくても、錠前システムのセキュリティ性を向上させることができるので、コストを掛けずにセキュリティ性の向上を図ることができる。
【発明の効果】
【００２４】
本発明によれば、旧情報記憶カードに代わる新情報記憶カードを登録する際に当該新情報記憶カードと対応付けるべき複数の動作制御装置のうちの一部の動作制御装置について当該新情報記憶カードとの対応付けをしなかった場合でも、旧情報記憶カードの使用により被制御装置の動作が許可されることを抑制することができ、被制御装置の管理の確実性を向上させることができる。
【図面の簡単な説明】
【００２５】
【図１】本発明の第１の実施形態による錠前システムを示す説明図である。
【図２】本発明の第１の実施形態による錠前ユニットの構成を示すブロック図である。
【図３】本発明の第１の実施形態におけるＩＣカードの構造を示す説明図である。
【図４】本発明の第１の実施形態による錠前システムの錠前ユニットにおける錠前制御装置が錠前装置の施解錠動作を制御する動作を示すフローチャートである。
【図５】本発明の第１の実施形態において動作不許可情報が書き込まれたＩＣカードを示す説明図である。
【図６】本発明の第２の実施形態による錠前システムにおけるＩＣカードの登録方法を示す説明図である。
【図７】本発明の第２の実施形態による錠前システムの錠前ユニットにおける錠前制御装置が錠前装置の施解錠動作を制御する動作を示すフローチャートである。
【発明を実施するための形態】
【００２６】
以下、本発明の実施の形態について添付図面に従って説明する。
【００２７】
（第１の実施形態）
まず、本発明の第１の実施形態について説明する。図１は、本発明の第１の実施形態による錠前システムを例えばホテルの建造物における部屋の扉および当該建造物のエントランスの自動ドアに適用した場合を示している。図２は、錠前システムにおける錠前ユニットの構成を示している。
【００２８】
図１において、本発明の第１の実施形態による錠前システム１は、複数の錠前ユニット２、３、４を備えている。錠前ユニット２は例えばホテルの建造物における第１の部屋の扉５に取り付けられ、錠前ユニット３は当該建造物における第２の部屋の扉６に取り付けられ、錠前ユニット４は当該建造物のエントランスに設けられた自動ドア７の近傍に取り付けられている。
【００２９】
図２に示すように、錠前ユニット２は、錠前装置２１と、錠前装置２１の施解錠動作を制御する錠前制御装置２２とを備えている。錠前装置２１および錠前制御装置２２は、図１に示すように、筐体２３に収容されて扉５に取り付けられている。
【００３０】
錠前装置２１は、電気錠であり、デッドボルトと、デッドボルトを移動させる移動機構を備えている。施錠動作時において、錠前装置２１は、錠前制御装置２２から出力される制御信号に従って、デッドボルトを扉５または筐体２３から突出するように移動させ、扉５を開扉不能にする。また、解錠動作時において、錠前装置２１は、錠前制御装置２２から出力される制御信号に従って、扉５または筐体２３から突出したデッドボルトを扉５内または筐体２３内に引き込むように移動させ、扉５を開扉可能にする。
【００３１】
錠前制御装置２２は、ＩＣカードに基づいて錠前装置２１の施解錠動作を制御する装置である。錠前制御装置２２は、ＩＣカードとの間で情報通信を行う通信手段としてのカードリーダライタ３１、記憶手段としてのメモリ３２、および判断手段および制御手段としてのＣＰＵ３３を備えている。
【００３２】
カードリーダライタ３１は、ＩＣカードとの間で無線通信を行う装置である。ＩＣカードは、例えば非接触ＩＣカードであり、その内部に、記憶部を内蔵したＩＣチップ、アンテナ等を備えている。ＩＣカードをカードリーダライタ３１に接近させると、ＩＣカードは、カードリーダライタ３１から発せられる電磁波を受け、電磁誘導により電力を得る。これにより、ＩＣカードとカードリーダライタ３１との間が通信可能な状態となる。ＩＣカードとカードリーダライタ３１との間が通信可能な状態となったとき、カードリーダライタ３１は、当該ＩＣカードの記憶部に記憶された情報を読み取ることができ、また、ＩＣカードの記憶部に情報を書き込む（情報をＩＣカードに送信し、当該情報をＩＣカードの記憶部に記憶させる）ことができる。
【００３３】
メモリ３２は例えば書換可能な不揮発性の半導体記憶素子である。メモリ３２として例えばフラッシュメモリ等を用いることができる。
【００３４】
ＣＰＵ３３は、カードリーダライタ３１によるＩＣカードからの情報の読取動作、カードリーダライタ３１によるＩＣカードへの情報の書込動作、メモリからの情報の読取動作、メモリへの情報の書込動作、錠前装置の施解錠動作等を制御するほか、演算処理、情報の比較処理、判断処理等を行う演算処理装置である。
【００３５】
一方、錠前ユニット３は、錠前ユニット２と同様の構成を有し、施錠動作時には、錠前制御装置２２から出力される制御信号に従って扉６を開扉不能にし、解錠動作時には、錠前制御装置２２から出力される制御信号に従って扉６を開扉可能にする。錠前ユニット４は、錠前装置２１が電気錠ではなく自動ドア開閉装置である点を除き、錠前ユニット２とほぼ同様の構成を有し、施錠動作時には、錠前制御装置２２から出力される制御信号に従って自動ドア７を開扉不能にし、解錠動作時には、錠前制御装置２２から出力される制御信号に従って自動ドア７を開扉可能にする。
【００３６】
なお、錠前ユニット２、３、４はそれぞれいわゆるスタンドアローン型である。すなわち、錠前ユニット２は、錠前ユニット３、４と情報の通信を行う手段を備えておらず、錠前ユニット３は、錠前ユニット２、４と情報の通信を行う手段を備えておらず、錠前ユニット４は、錠前ユニット２、３と情報の通信を行う手段を備えていない。また、錠前システム１は、錠前ユニット２、３、４に情報を配信するサーバコンピュータも備えていない。
【００３７】
図３（１）は記憶部に識別情報が記憶されたＩＣカードの構造を示している。図３（１）に示すように、錠前システム１に使用されるＩＣカード１１の記憶部１１Ａには識別情報１２が記憶されている。また、この識別情報１２と同一の識別情報が、当該ＩＣカード１１の使用により錠前装置２１を施解錠動作させることが許可された特定の錠前ユニットにおける錠前制御装置２２のメモリ３２に記憶されている。以下、特定のＩＣカードの使用により錠前装置２１等を施解錠動作させることが許可された特定の錠前ユニットを、当該特定のＩＣカードに対応付けられた錠前ユニットという。
【００３８】
ここで、錠前システム１においてＩＣカード１１を使用するためには、事前に、ＩＣカード１１の登録を行う必要がある。ＩＣカード１１の登録により、ＩＣカード１１の記憶部１１Ａには識別情報１２が記憶され、ＩＣカード１１に対応付けられた錠前ユニットにおける錠前制御装置２２のメモリ３２には、識別情報１２と同一の識別情報が記憶される。なお、少なくともＩＣカード１１の記憶部１１Ａにおいて、識別情報１２は暗号化された状態で記憶される。
【００３９】
識別情報１２は、図３（１）に示すように、対応関係情報１２Ａおよび登録日時情報１２Ｂを含む。対応関係情報１２Ａは、ＩＣカード１１と、ＩＣカード１１に対応付けられた錠前ユニットとの対応関係を示す情報である。対応関係情報１２Ａには、ＩＣカード１１のカード番号、錠前制御装置２２の装置番号、錠前ユニットが取り付けられた扉に対応する建造物番号・部屋番号など、固有の情報であればどのような情報でも用いることができるが、本実施形態では、一例として、錠前ユニットが取り付けられた扉に対応する建造物番号および部屋番号を用いることとする。一方、登録日時情報１２Ｂは、ＩＣカード１１を登録した日時を示す情報である。
【００４０】
本実施形態におけるＩＣカード１１の登録方法は例えば次の通りである。すなわち、錠前ユニット２における錠前制御装置２２のメモリ３２には、錠前ユニット２が取り付けられた扉５に対応する建造物番号および部屋番号が対応関係情報として予め（例えば錠前ユニット２を扉５に取り付けたときに）記憶されている。同様に、錠前ユニット３における錠前制御装置２２のメモリ３２には、錠前ユニット３が取り付けられた扉６に対応する建造物番号および部屋番号が対応関係情報として予め記憶されている。また、錠前ユニット４における錠前制御装置２２のメモリ３２には、錠前ユニット４が取り付けられた自動ドア７に対応する建造物番号およびエントランス番号が対応関係情報として予め記憶されている。管理人は、例えば専用のカード発行装置を用いてＩＣカード１１を発行するに当たり、ＩＣカード１１に対応付けるべき錠前ユニットを特定し、上記カード発行装置に対して当該ＩＣカード１１を発行するための所定の入力操作を行う。これにより、管理者が特定した錠前ユニットにおける錠前制御装置２２のメモリ３２に記憶されている対応関係情報と同一の情報が対応関係情報１２Ａとして上記カード発行装置によりＩＣカード１１の記憶部１１Ａに記憶されると共に、ＩＣカード１１の発行時の日時を示す情報が登録日時情報１２Ｂとして上記カード発行装置によりＩＣカード１１の記憶部１１Ａに記憶される。なお、管理人がＩＣカード１１に対応づけるべき錠前ユニットとして複数の錠前ユニットを特定した場合には、特定された複数の錠前ユニットにおける錠前制御装置２２のメモリ３２に記憶されている対応関係情報と同一の情報が対応関係情報１２ＡとしてＩＣカード１１の記憶部１１Ａにそれぞれ記憶される。このようにして発行されたＩＣカード１１を、管理人（または利用者）が、特定された錠前ユニットに対してはじめて使用したとき、ＩＣカード１１の記憶部１１Ａに記憶された登録日時情報１２Ｂが、当該錠前ユニットにおける錠前制御装置２２のカードリーダライタ３１により読み取られ、メモリ３２に記憶（コピー）される。この結果、ＩＣカード１１の記憶部１１Ａと、管理人により特定された錠前ユニットにおける錠前制御装置２２のメモリ３２とには、同一の識別情報が記憶されることとなる。このように、本実施形態において、ＩＣカードの登録は、専用のカード発行装置を用いてＩＣカード１１を発行する作業（第１の登録作業）と、この発行したＩＣカード１１を、当該ＩＣカード１１に対応付けるべき錠前ユニットに対して使用する作業（第２の登録作業）の２つの作業を経て完了する。
【００４１】
図３（２）ないし（４）はＩＣカードの具体例を示している。例えば、錠前システム１が適用された建造物の建造物番号をＸＸＸとし、扉５に対応する第１の部屋の部屋番号をＡＡＡとし、扉６に対応する第２の部屋の部屋番号をＢＢＢとし、自動ドア７に対応するエントランス番号をＣＣＣとすると、図３（２）に示すＩＣカード１３の記憶部１３Ａには識別情報１４が記憶されており、識別情報１４において、対応関係情報１４ＡはＸＸＸ−ＡＡＡおよびＸＸＸ−ＣＣＣであり、登録日時情報１４Ｂは２０１０１０２９１７５５２６である。すなわち、ＩＣカード１３に対応付けられた錠前ユニットは、扉５に取り付けられた錠前ユニット２および自動ドア７の近傍に取り付けられた錠前ユニット４であり、ＩＣカード１３が登録された日時は２０１０年１０月２９日１７時５５分２６秒である。
【００４２】
また、図３（３）に示すＩＣカード１５の記憶部１５Ａには識別情報１６が記憶されており、識別情報１６において、対応関係情報１６ＡはＸＸＸ−ＡＡＡおよびＸＸＸ−ＣＣＣであり、登録日時情報１６Ｂは２０１０１０３０１０２０２５である。すなわち、ＩＣカード１５に対応付けられた錠前ユニットは、ＩＣカード１３に対応付けられた錠前ユニットと同じく、錠前ユニット２および４であり、ＩＣカード１５が登録された日時は２０１０年１０月３０日１０時２０分２５秒である。
【００４３】
また、図３（４）に示すＩＣカード１７の記憶部１７Ａには識別情報１８が記憶されており、識別情報１８において、対応関係情報１８ＡはＸＸＸ−ＢＢＢおよびＸＸＸ−ＣＣＣであり、登録日時情報１８Ｂは２０１０１１０３１１３５０２である。すなわち、ＩＣカード１７に対応付けられた錠前ユニットは、扉６に取り付けられた錠前ユニット３および自動ドア７の近傍に取り付けられた錠前ユニット４であり、ＩＣカード１７が登録された日時は２０１０年１１月０３日１１時３５分０２秒である。
【００４４】
図４は、ＩＣカード１３、１５、１７に基づいて錠前ユニット２における錠前制御装置２２が錠前装置２１の施解錠動作を制御する動作を示している。以下、図３および図４を参照しながら、錠前ユニット２の錠前制御装置２２が錠前装置２１の施解錠動作を制御する動作を具体的に説明する。
【００４５】
この説明では、以下の事実が起こったものと仮定する。すなわち、管理人が、２０１０年１０月２９日１７時５５分２６秒に、ＩＣカード１３を、当該ＩＣカード１３に対応付けるべき錠前ユニットとして錠前ユニット２および４を特定して登録した後、ＩＣカード１３を利用者に手渡したものの、次の日の朝、利用者がＩＣカード１３を喪失していることが判明した。このため、管理人は、２０１０年１０月３０日１０時２０分２５秒に、ＩＣカード１３に代わるＩＣカード１５を、当該ＩＣカード１５に対応付けるべき錠前ユニットとして錠前ユニット２を特定して登録した後、ＩＣカード１５を利用者に手渡した。なお、管理人は、ＩＣカード１５に対応付けるべき錠前ユニットとして錠前ユニット４を特定し忘れてしまった。すなわち、管理人は、錠前ユニット４に対して上記第２の登録作業をし忘れてしまった。以上の仮定においては、ＩＣカード１５が現在登録されているＩＣカード（最後に登録されたＩＣカード、または新ＩＣカード）に当たり、ＩＣカード１３が過去に登録されていたＩＣカード（旧ＩＣカード）に当たる。
【００４６】
このような仮定のもと、利用者はＩＣカード１５を錠前ユニット２における錠前制御装置２２のカードリーダライタ３１に接近させた。この場合、錠前ユニット２における錠前制御装置２２のＣＰＵ３３は、ＩＣカード１５の記憶部１５Ａに記憶された情報を、カードリーダライタ３１を介して読み取る（図４中のステップＳ１：ＹＥＳ）。続いて、ＣＰＵ３３は、ＩＣカード１５から読み取った情報を復号し（ステップＳ２）、正しく復号することができたか否かを判断する（ステップＳ３）。
【００４７】
ＩＣカード１５から読み取った情報を正しく復号することができたときには（ステップＳ３：ＹＥＳ）、続いて、ＣＰＵ３３は、ＩＣカード１５から読み取った情報に後述の動作不許可情報１９が含まれているか否かを判断する（ステップＳ４）。
【００４８】
ＩＣカード１５から読み取った情報中に動作不許可情報１９が含まれていないときには（ステップＳ４：ＮＯ）、続いて、ＣＰＵ３３は、ＩＣカード１５から読み取った情報に含まれている対応関係情報１６Ａと、錠前ユニット２における錠前制御装置２２のメモリ３２に予め記憶されている対応関係情報とが一致するか否かを判断する（ステップＳ５）。図３（３）に示すように、ＩＣカード１５から読み取った情報に含まれている対応関係情報１６Ａには、錠前システム１が適用された建造物の建造物番号および扉５に対応する第１の部屋の部屋番号を示すＸＸＸ−ＡＡＡが含まれている。一方、上述したように、扉５に取り付けられた錠前ユニット２における錠前制御装置２２のメモリ３２には対応関係情報としてＸＸＸ−ＡＡＡが予め記憶されている。したがって、ＩＣカード１５から読み取った情報に含まれている対応関係情報１６Ａと、錠前ユニット２における錠前制御装置２２のメモリ３２に記憶されている対応関係情報とは一致する。
【００４９】
このように、ＩＣカード１５から読み取った情報に含まれている対応関係情報１６Ａと、錠前ユニット２における錠前制御装置２２のメモリ３２に予め記憶されている対応関係情報とが一致したとき（ステップＳ５：ＹＥＳ）、続いて、ＣＰＵ３３は、ＩＣカード１５から読み取った情報に含まれている登録日時情報１６Ｂが示す日時と、錠前ユニット２における錠前制御装置２２のメモリ３２に記憶されている登録日時情報が示す日時とが一致するか否かを判断する（ステップＳ６）。上述したように、ＩＣカード１５は、２０１０年１０月３０日１０時２０分２５秒に、当該ＩＣカード１５に対応付けるべき錠前ユニットとして錠前ユニット２が特定されて登録が完了している。したがって、ＩＣカード１５から読み取った情報には、図３（３）に示すように、ＩＣカード１５の登録日時である２０１０年１０月３０日１０時２０分２５秒を示す登録日時情報１６Ｂ（２０１０１０３０１０２０２５）が含まれている。また、現時点において、錠前ユニット２における錠前制御装置２２のメモリ３２には、ＩＣカード１５の登録日時である２０１０年１０月３０日１０時２０分２５秒を示す登録日時情報（２０１０１０３０１０２０２５）が記憶されている。よって、ＩＣカード１５から読み取った情報に含まれる登録日時情報１６Ｂが示す日時と、錠前ユニット２における錠前制御装置２２のメモリ３２に記憶された登録日時情報１６Ｂが示す日時とは一致する。
【００５０】
このように、ＩＣカード１５から読み取った情報に含まれている登録日時情報１６Ｂが示す日時と、錠前ユニット２における錠前制御装置２２のメモリ３２に記憶されている登録日時情報が示す日時とが一致したとき（ステップＳ６：ＹＥＳ）、ＣＰＵ３３は、錠前ユニット２の錠前装置２１の施解錠動作を許可する（ステップＳ７）。そして、ＣＰＵ３３は錠前装置２１に制御信号を出力し、錠前装置２１を施錠または解錠させ、扉５を開扉不能（施錠の場合）または開扉可能（解錠の場合）にする。その後、処理はステップＳ１に戻る。
【００５１】
一方、利用者が喪失したＩＣカード１３を拾得した者が、ＩＣカード１３を錠前ユニット２における錠前制御装置２２のカードリーダライタ３１に接近させた。この場合、錠前ユニット２における錠前制御装置２２のＣＰＵ３３は、ＩＣカード１３の記憶部１３Ａに記憶された情報をカードリーダライタ３１を介して読み取り、復号する（図４中のステップＳ１：ＹＥＳ、ステップＳ２）。
【００５２】
ＩＣカード１３から読み取った情報を正しく復号することができ、当該情報に動作不許可情報が含まれていないときには（ステップＳ３：ＹＥＳ、ステップＳ４：ＮＯ）、続いて、ＣＰＵ３３は、ＩＣカード１３から読み取った情報に含まれている対応関係情報１４Ａと、錠前ユニット２における錠前制御装置２２のメモリ３２に予め記憶されている対応関係情報とが一致するか否かを判断する（ステップＳ５）。図３（２）に示すように、ＩＣカード１３から読み取った情報に含まれている対応関係情報１４Ａには、錠前システム１が適用された建造物の建造物番号および扉５に対応する第１の部屋の部屋番号を示すＸＸＸ−ＡＡＡが含まれている。一方、上述したように、扉５に取り付けられた錠前ユニット２における錠前制御装置２２のメモリ３２には対応関係情報としてＸＸＸ−ＡＡＡが予め記憶されている。したがって、ＩＣカード１３から読み取った情報に含まれている対応関係情報１４Ａと、錠前ユニット２における錠前制御装置２２のメモリ３２に記憶されている対応関係情報とは一致する。
【００５３】
このように、ＩＣカード１３から読み取った情報に含まれている対応関係情報１４Ａと、錠前ユニット２における錠前制御装置２２のメモリ３２に予め記憶されている対応関係情報とが一致したとき（ステップＳ５：ＹＥＳ）、続いて、ＣＰＵ３３は、ＩＣカード１３から読み取った情報に含まれている登録日時情報１４Ｂが示す日時と、錠前ユニット２における錠前制御装置２２のメモリ３２に記憶されている登録日時情報が示す日時とが一致するか否かを判断する（ステップＳ６）。上述したように、ＩＣカード１３は、２０１０年１０月２９日１７時５５分２６秒に、当該ＩＣカード１３に対応付けるべき錠前ユニットとして錠前ユニット２および４が特定されて登録が完了している。したがって、ＩＣカード１３から読み取った情報には、図３（２）に示すように、ＩＣカード１３の登録日時である２０１０年１０月２９日１７時５５分２６秒を示す登録日時情報１４Ｂ（２０１０１０３０１０２０２５）が含まれている。ところが、上述したように、管理人は、錠前ユニット２および４を特定してＩＣカード１３を登録した後、錠前ユニット２を特定してＩＣカード１５を登録しているので、現時点において、錠前ユニット２における錠前制御装置２２のメモリ３２には、ＩＣカード１５の登録日時である２０１０年１０月３０日１０時２０分２５秒を示す登録日時情報（２０１０１０３０１０２０２５）が記憶されている（同一の錠前ユニットに対してＩＣカードの登録を複数回行った場合には、最後に登録を行ったＩＣカードの登録日時情報が当該錠前ユニットにおける錠前制御装置２２のメモリ３２に記憶され、過去に登録を行ったＩＣカードの登録日時情報は当該メモリ３２から消去される）。したがって、ＩＣカード１３から読み取った情報に含まれる登録日時情報１４Ｂが示す日時と、錠前ユニット２における錠前制御装置２２のメモリ３２に記憶されている登録日時情報が示す日時とは一致しない。
【００５４】
このように、ＩＣカード１３から読み取った情報に含まれている登録日時情報１４Ｂが示す日時と、錠前ユニット２における錠前制御装置２２のメモリ３２に記憶されている登録日時情報が示す日時とが一致しないとき（ステップＳ６：ＮＯ）、続いて、ＣＰＵ３３は、ＩＣカード１３から読み取った情報に含まれている登録日時情報１４Ｂが示す日時が、錠前ユニット２における錠前制御装置２２のメモリ３２に記憶されている登録日時情報が示す日時よりも前か否かを判断する（ステップＳ８）。上述したように、ＩＣカード１３から読み取った情報には、ＩＣカード１３の登録日時である２０１０年１０月２９日１７時５５分２６秒を示す登録日時情報１４Ｂが含まれ、錠前ユニット２における錠前制御装置２２のメモリ３２には、現時点において、ＩＣカード１５の登録日時である２０１０年１０月３０日１０時２０分２５秒を示す登録日時情報が記憶されている。したがって、ＩＣカード１３から読み取った情報に含まれている登録日時情報１４Ｂが示す日時は、錠前ユニット２における錠前制御装置２２のメモリ３２に記憶されている登録日時情報が示す日時よりも前である。
【００５５】
このように、ＩＣカード１３から読み取った情報に含まれている登録日時情報１４Ｂが示す日時が、錠前ユニット２における錠前制御装置２２のメモリ３２に記憶されている登録日時情報が示す日時よりも前であるときには（ステップＳ８：ＹＥＳ）、ＣＰＵ３３は、ＩＣカード１３に動作不許可情報を書き込む（ステップＳ９）。この結果、ＩＣカード１３の記憶部１３Ａには、図５に示すように、動作不許可情報１９が記憶される。動作不許可情報は、例えば、他の情報等と識別可能な特定の符号からなる情報である。ＩＣカードにいかなる識別情報が記憶されている場合であっても、ＩＣカードに動作不許可情報が記憶された後は、当該ＩＣカードを錠前システム１のいずれの錠前ユニット２、３、４に対して使用しても、錠前装置２１の施解錠動作が許可されなくなる。
【００５６】
また、この場合、ＣＰＵ３３は、錠前ユニット２の錠前装置２１の施解錠動作を許可しない（ステップＳ１０）。この結果、錠前装置２１の施錠動作も解錠動作も行われず、錠前装置２１が施錠状態である場合には、その施錠状態が維持され、錠前装置２１が解錠状態である場合には、その解錠状態が維持される。その後、処理はステップＳ１に戻る。
【００５７】
他方、上記ＩＣカード１３の拾得者が、再び、ＩＣカード１３を錠前ユニット２における錠前制御装置２２のカードリーダライタ３１に接近させた。この場合、錠前ユニット２における錠前制御装置２２のＣＰＵ３３は、ＩＣカード１３の記憶部１３Ａに記憶された情報をカードリーダライタ３１を介して読み取り、復号する（図４中のステップＳ１：ＹＥＳ、ステップＳ２）。続いて、ＣＰＵ３３は、ＩＣカード１３から読み取った情報を正しく復号することができたか否かを判断する（ステップＳ３）。
【００５８】
ＩＣカード１３から読み取った情報を正しく復号することができたときは（ステップＳ３：ＹＥＳ）、ＣＰＵ３３は、ＩＣカード１３から読み取った情報に動作不許可情報１９が含まれているか否かを判断する（ステップＳ４）。図５に示すように、現時点において、ＩＣカード１３の記憶部１３Ａには動作不許可情報１９が記憶されているので、ＩＣカード１３から読み取った情報にはこの動作不許可情報１９が含まれている。
【００５９】
このように、ＩＣカード１３から読み取った情報に動作不許可情報１９が含まれているときには（ステップＳ４：ＹＥＳ）、ＣＰＵ３３は、錠前ユニット２における錠前装置２１の施解錠動作を許可しない（ステップＳ１０）。この結果、錠前装置２１の施錠動作も解錠動作も行われず、錠前装置２１が施錠状態である場合には、その施錠状態が維持され、錠前装置２１が解錠状態である場合には、その解錠状態が維持される。その後、処理はステップＳ１に戻る。
【００６０】
他方、他の利用者が、図３（４）に示すＩＣカード１７を錠前ユニット２における錠前制御装置２２のカードリーダライタ３１に接近させた。この場合、錠前ユニット２における錠前制御装置２２のＣＰＵ３３は、ＩＣカード１７の記憶部１７Ａに記憶された情報をカードリーダライタ３１を介して読み取り、復号する（図４中のステップＳ１：ＹＥＳ、ステップＳ２）。
【００６１】
ＩＣカード１３から読み取った情報を正しく復号することができ、当該情報に動作不許可情報が含まれていないときには（ステップＳ３：ＹＥＳ、ステップＳ４：ＮＯ）、続いて、ＣＰＵ３３は、ＩＣカード１７から読み取った情報に含まれている対応関係情報１８Ａと、錠前ユニット２における錠前制御装置２２のメモリ３２に予め記憶されている対応関係情報とが一致するか否かを判断する（ステップＳ５）。図３（４）に示すように、ＩＣカード１７から読み取った情報に含まれている対応関係情報１８Ａには、ＸＸＸ−ＡＡＡが含まれていない。一方、上述したように、錠前ユニット２における錠前制御装置２２のメモリ３２には対応関係情報としてＸＸＸ−ＡＡＡが予め記憶されている。したがって、ＩＣカード１７から読み取った情報に含まれている対応関係情報１８Ａと、錠前ユニット２における錠前制御装置２２のメモリ３２に予め記憶されている対応関係情報とは一致しない。
【００６２】
このように、ＩＣカード１７から読み取った情報に含まれている対応関係情報１８Ａと、錠前ユニット２における錠前制御装置２２のメモリ３２に記憶されている対応関係情報とが一致しないとき（ステップＳ５：ＮＯ）、ＣＰＵ３３は、錠前ユニット２における錠前装置２１の施解錠動作を許可しない（ステップＳ１０）。この結果、錠前装置２１の施錠動作も解錠動作も行われず、錠前装置２１が施錠状態である場合には、その施錠状態が維持され、錠前装置２１が解錠状態である場合には、その解錠状態が維持される。その後、処理はステップＳ１に戻る。
【００６３】
また、ある者が、錠前システム１に使用されるＩＣカードではない別のＩＣカードを錠前ユニット２における錠前制御装置２２のカードリーダライタ３１に接近させた場合には、通常、当該ＩＣカードから情報を読み取ることができず、また、たとえ当該ＩＣカードから情報を読み取ることができたとしても、当該情報の復号を正しく行うことができない。このように、ＩＣカードから情報を読み取ることができず、またはＩＣカードから読み取った情報を正しく復号することができない場合には、ＣＰＵ３３は、錠前ユニット２における錠前装置２１の施解錠動作を許可しない（ステップＳ３：ＮＯ、ステップＳ１０）。
【００６４】
なお、管理人が、錠前ユニット２と対応付けて新ＩＣカードを発行し、当該新ＩＣカードの上記第２の登録作業を錠前ユニット２に対して行うために、当該新ＩＣカードを錠前ユニット２における錠前制御装置２２のカードリーダライタ３１に接近させた場合には、錠前ユニット２における錠前制御装置２２のＣＰＵ３３は、図４中のステップＳ１、Ｓ２、Ｓ３、Ｓ４およびＳ５を経た後、ステップＳ６において、当該新ＩＣカードから読み取った情報に含まれている登録日時情報が示す日時と、錠前ユニット２における錠前制御装置２２のメモリ３２に記憶されている登録日時情報が示す日時とが一致するか否かを判断する。この時点において、錠前ユニット２における錠前制御装置２２のメモリ３２に記憶されている登録日時情報が示す日時は、前回登録が行われたＩＣカードの登録日時を示している。したがって、ＣＰＵ３３は、当該新ＩＣカードから読み取った情報に含まれている登録日時情報が示す日時と、錠前ユニット２における錠前制御装置２２のメモリ３２に記憶されている登録日時情報が示す日時とが一致しないと判断する。続いて、ＣＰＵ３３は、当該新ＩＣカードから読み取った情報に含まれている登録日時情報が示す日時が、錠前ユニット２における錠前制御装置２２のメモリ３２に記憶されている登録日時情報が示す日時よりも前か否かを判断する（ステップＳ８）。上述したように、この時点において、錠前ユニット２における錠前制御装置２２のメモリ３２に記憶されている登録日時情報が示す日時は、前回登録が行われたＩＣカードの登録日時を示しているので、当該新ＩＣカードから読み取った情報に含まれている登録日時情報は、錠前ユニット２における錠前制御装置２２のメモリ３２に記憶されている登録日時情報が示す日時よりも後の日時を示していることとなる。したがって、ＣＰＵ３３は、当該新ＩＣカードから読み取った情報に含まれている登録日時情報が示す日時が、錠前ユニット２における錠前制御装置２２のメモリ３２に記憶されている登録日時情報が示す日時よりも前ではないと判断する（ステップＳ８：ＮＯ）。この場合に、ＣＰＵ３３は、当該新ＩＣカードから読み取った識別情報に含まれている登録日時情報を、錠前ユニット２における錠前制御装置２２のメモリ３２に記憶する。これにより、当該新ＩＣカードの錠前ユニット２に対する上記第２の登録作業が完了する。また、この場合、ＣＰＵ３３は、錠前ユニット２の錠前装置２１の施解錠動作を許可する（ステップＳ７）。その後、処理はステップＳ１に戻る。
【００６５】
以上、錠前ユニット２における錠前制御装置２２が錠前装置２１の施解錠動作を制御する動作を説明したが、各錠前ユニット３、４における錠前制御装置２２が錠前装置２１の施解錠動作を制御する動作も、錠前ユニット２における錠前制御装置２２が錠前装置２１の施解錠動作を制御する動作と同様である。
【００６６】
以上説明した通り、本発明の実施形態による錠前システム１によれば、ＩＣカードを、当該ＩＣカードに対応付けるべき錠前ユニットを特定して登録した後、当該ＩＣカード（旧ＩＣカード）に代わる新たなＩＣカード（新ＩＣカード）を、同じ錠前ユニットを特定して登録し、その後、旧ＩＣカードが当該特定された錠前ユニットに対して使用された場合には、当該旧ＩＣカードに動作不許可情報が書き込まれる。そして、旧ＩＣカードに動作不許可情報が書き込まれた後は、当該旧ＩＣカードを錠前システム１のいずれの錠前ユニット２、３、４に対して使用しても、錠前装置２１の施解錠動作が許可されない。
【００６７】
したがって、旧ＩＣカードに代わる新ＩＣカードを登録すべき複数の錠前ユニットのうちの一部の錠前ユニットについて新ＩＣカードの登録をしなかった場合でも、旧ＩＣカードの使用により錠前装置２１の動作が許可されることを抑制することができ、建造物ないし各部屋のセキュリティを向上させることができる。
【００６８】
例えば、上述した仮定において、管理人は、ＩＣカード１３を、当該ＩＣカード１３に対応付けるべき錠前ユニットとして錠前ユニット２および４を特定して登録した後、ＩＣカード１３の喪失が判明したので、ＩＣカード１３に代わるＩＣカード１５を、当該ＩＣカード１５に対応付けるべき錠前ユニットとして錠前ユニット２のみを特定して登録した。すなわち、管理人は、ＩＣカード１５の登録時に、ＩＣカード１５に対応付けるべき錠前ユニットとして錠前ユニット４を特定し忘れてしまった。この場合、もし、ＩＣカード１３の拾得者が、ＩＣカード１３を錠前ユニット２に対して使用する前に、錠前ユニット４に対して使用したとすると、錠前ユニット４における錠前制御装置２２により錠前装置（自動ドア開閉装置）の施解錠動作が許可されてしまう。しかしながら、ＩＣカード１３の拾得者が、ＩＣカード１３を錠前ユニット２に対して使用すれば、錠前ユニット２における錠前制御装置２２によりＩＣカード１３に動作不許可情報１９が書き込まれる。そして、ひとたび動作不許可情報１９がＩＣカード１３に書き込まれれば、その後、ＩＣカード１３の拾得者が、ＩＣカード１３を錠前システム１のいずれの錠前ユニット２、３、４に対して使用しても、ＩＣカード１３に書き込まれた動作不許可情報１９に基づいて錠前装置２１等の施解錠動作が許可されない。したがって、利用者が喪失したＩＣカード１３が他人により無断で使用され、扉５や自動ドア７が利用者の意に反して開扉されてしまうことを抑制することができる。
【００６９】
特に、本実施形態の錠前システム１のように、錠前ユニット２、３、４がそれぞれスタンドアローン型であり、このためＩＣカードの登録を錠前ユニット２、３、４に対して一遍に行うことができない場合には、利用者は、喪失した旧ＩＣカードに代わる新ＩＣカードの登録作業（上記第２の登録作業）を、すべての錠前ユニット２、３、４に対して１台１台行う必要があるため、登録作業をし忘れたり、登録作業に時間がかかったりする場合がある。このため、旧ＩＣカードの拾得者または窃取者等に当該旧ＩＣカードを使用する機会を与えてしまうおそれがある。しかしながら、本発明の実施形態による錠前システム１によれば、旧ＩＣカードに動作不許可情報を書き込むことにより、たとえ、旧ＩＣカードに代わる新ＩＣカードの登録作業がされていない錠前ユニットに、当該旧ＩＣカードが使用されたとしても、錠前装置２１等の施解錠動作が許可されることを抑制することができる。このように、錠前システム１によれば、錠前ユニット２、３、４がそれぞれスタンドアローン型のままでも（すなわち、各錠前ユニット２、３、４に錠前ユニット同士で情報通信を行う機能等を追加しなくても）、建造物ないし各部屋のセキュリティを向上させることができる。したがって、建造物ないし各部屋のセキュリティの向上を低コストで実現することができる。
【００７０】
（第２の実施形態）
次に、本発明の第２の実施形態について説明する。なお、以下の説明において、上述した第１の実施形態による錠前システム１と同一の構成要素には同一の符号を付す。
【００７１】
本発明の第２の実施形態による錠前システムでは、ＩＣカードの記憶部に予め記憶された固有の識別情報（例えばカード番号）を、当該ＩＣカードに対応付けるべき錠前ユニットにおける錠前制御装置２２のメモリ３２に記憶（コピー）させることにより、ＩＣカードの登録を行う。また、登録されたＩＣカードを利用者が喪失したために、当該ＩＣカード（旧ＩＣカード）に代わる新しいＩＣカード（新ＩＣカード）が同一の錠前ユニットに対して登録された場合には、過去のＩＣカードの識別情報が、当該錠前ユニットにおける錠前制御装置２２のメモリ３２から消去されずに、保持される。
【００７２】
この登録方法について図６を参照しながら具体的に説明する。図６において、まず、管理人が、ＩＣカード４１に対応付けるべき錠前ユニットを特定し、例えば、当該特定した錠前ユニットの錠前制御装置２２のモードを使用モード（通常モード）から登録モードに切り替え、ＩＣカード４１を当該錠前ユニットにおける錠前制御装置２２のカードリーダライタ３１に接近させると、ＩＣカード４１の記憶部４１Ａに予め記憶されているカード番号４２が、当該錠前ユニットにおける錠前制御装置２２のメモリ３２に記憶（コピー）される。このようにＩＣカード４１の登録が完了すると、錠前制御装置２２は使用モードに戻る。その後、利用者がＩＣカード４１を喪失したために、ＩＣカード４１に代わる新しいＩＣカード４３を同一の錠前ユニットに対して登録する場合には、管理人は、当該錠前ユニットの錠前制御装置２２のモードを登録モードに切り替え、ＩＣカード４３を当該錠前ユニットにおける錠前制御装置２２のカードリーダライタ３１に接近させる。これにより、ＩＣカード４３の記憶部４３Ａに予め記憶されているカード番号４４（カード番号４２とは異なる番号）が、当該錠前ユニットにおける錠前制御装置２２のメモリ３２に記憶（コピー）される。このとき、過去の登録により記憶されたカード番号４２はメモリ３２に保持される。このようにＩＣカード４３の登録が完了すると、錠前制御装置２２は使用モードに戻る。さらに、ＩＣカード４３に代わる別の新たなＩＣカードを当該錠前ユニットに登録することも可能である。
【００７３】
図７は、ＩＣカード４１、４３に基づいて、本発明の第２の実施形態による錠前システムにおいて、錠前ユニット２の錠前制御装置２２が錠前装置２１の施解錠動作を制御する動作を示している。以下、図６および図７を参照しながら、本発明の第２の実施形態における錠前制御装置２２が錠前装置２１の施解錠動作を制御する動作を具体的に説明する。
【００７４】
この説明では、以下の事実が起こったものと仮定する。すなわち、管理人が、ＩＣカード４１を、当該ＩＣカード４１に対応付けるべき錠前ユニットとして錠前ユニット２および４を特定して登録し、当該ＩＣカード４１を利用者に手渡したものの、その後、利用者が当該ＩＣカード４１を喪失してしまった。このため、管理人は、ＩＣカード４１に代わるＩＣカード４３を、当該ＩＣカード４３に対応付けるべき錠前ユニットとして錠前ユニット２を特定して登録した後、当該ＩＣカード４３を利用者に手渡した。なお、管理人は、ＩＣカード４３に対応付けるべき錠前ユニットとして錠前ユニット４を特定し忘れてしまった。以上の仮定においては、ＩＣカード４３が現在登録されているＩＣカード（最後に登録されたＩＣカード、または新ＩＣカード）に当たり、ＩＣカード４１が過去に登録されていたＩＣカード（旧ＩＣカード）に当たる。
【００７５】
このような仮定のもと、利用者はＩＣカード４３を、錠前ユニット２における錠前制御装置２２のカードリーダライタ３１に接近させた。この場合、錠前ユニット２における錠前制御装置２２のＣＰＵ３３は、ＩＣカード４３の記憶部４３Ａに記憶された情報を、カードリーダライタ３１を介して読み取り、復号する（図７中のステップＳ１１：ＹＥＳ、ステップＳ１２）。
【００７６】
ＩＣカード１３から読み取った情報を正しく復号することができ、当該情報に動作不許可情報が含まれていないときには（ステップＳ１３：ＹＥＳ、ステップＳ１４：ＮＯ）、続いて、ＣＰＵ３３は、ＩＣカード４３から読み取った情報に含まれているカード番号と、錠前ユニット２における錠前制御装置２２のメモリ３２に最後に記憶されたカード番号（最後に登録されたＩＣカードのカード番号）とが一致するか否かを判断する（ステップＳ１５）。
【００７７】
ＩＣカード４３から読み取った情報に含まれているカード番号と、錠前ユニット２における錠前制御装置２２のメモリ３２に最後に記憶されたカード番号とが一致したときには（ステップＳ１５：ＹＥＳ）、ＣＰＵ３３は、錠前ユニット２の錠前装置２１の施解錠動作を許可する（ステップＳ１６）。そして、ＣＰＵ３３は錠前装置２１に制御信号を出力し、錠前装置２１を施錠または解錠させ、扉５を開扉不能（施錠の場合）または開扉可能（解錠の場合）にする。その後、処理はステップＳ１１に戻る。
【００７８】
一方、利用者が喪失したＩＣカード４１を拾得した者がＩＣカード４１を、錠前ユニット２における錠前制御装置２２のカードリーダライタ３１に接近させた。この場合、錠前ユニット２における錠前制御装置２２のＣＰＵ３３は、ＩＣカード４１の記憶部４１Ａに記憶された情報を、カードリーダライタ３１を介して読み取り、復号する（図７中のステップＳ１１：ＹＥＳ、ステップＳ１２）。
【００７９】
ＩＣカード４１から読み取った情報を正しく復号することができ、当該情報に動作不許可情報が含まれていないときには（ステップＳ１３：ＹＥＳ、ステップＳ１４：ＮＯ）、続いて、ＣＰＵ３３は、ＩＣカード４１から読み取った情報に含まれているカード番号と、錠前ユニット２における錠前制御装置２２のメモリ３２に最後に記憶されたカード番号とが一致するか否かを判断する（ステップＳ１５）。錠前ユニット２における錠前制御装置２２のメモリ３２に最後に記憶されたカード番号はＩＣカード４３のカード番号であるので、ＩＣカード４１から読み取った情報に含まれているカード番号と、錠前ユニット２における錠前制御装置２２のメモリ３２に最後に記憶されたカード番号とは一致しない。
【００８０】
このように、ＩＣカード４１から読み取った情報に含まれているカード番号と、錠前ユニット２における錠前制御装置２２のメモリ３２に最後に記憶されたカード番号とが一致しないときには（ステップＳ１５：ＮＯ）、続いて、ＣＰＵ３３は、ＩＣカード４１から読み取った情報に含まれているカード番号と、錠前ユニット２における錠前制御装置２２のメモリ３２に過去に記憶されたカード番号とが一致するか否かを判断する（ステップＳ１７）。上述したように、ＩＣカード４１はＩＣカード４３が登録される前に錠前ユニット２に登録されていたので、ＩＣカード４１のカード番号は、錠前ユニット２の錠前制御装置２２のメモリ３２に保持されている。したがって、ＩＣカード４１から読み取った情報に含まれているカード番号と一致するカード番号が、錠前ユニット２における錠前制御装置２２のメモリ３２中に存在している。
【００８１】
したがって、ＩＣカード４１から読み取った情報に含まれているカード番号と、錠前ユニット２における錠前制御装置２２のメモリ３２に過去に記憶されたカード番号とが一致するので（ステップＳ１７：ＹＥＳ）、ＣＰＵ３３は、ＩＣカード４１に動作不許可情報を書き込む（ステップＳ１８）。この場合、ＣＰＵ３３は、錠前ユニット２の錠前装置２１の施解錠動作を許可しない（ステップＳ１９）。この結果、錠前装置２１の施錠動作も解錠動作も行われない。その後、処理はステップＳ１１に戻る。
【００８２】
他方、上記ＩＣカード４１の拾得者が、再び、ＩＣカード４１を錠前ユニット２における錠前制御装置２２のカードリーダライタ３１に接近させた。この場合、錠前ユニット２における錠前制御装置２２のＣＰＵ３３は、ＩＣカード４１の記憶部４１Ａに記憶された情報を、カードリーダライタ３１を介して読み取り、復号する（図７中のステップＳ１１：ＹＥＳ、ステップＳ１２）。続いて、ＣＰＵ３３は、ＩＣカード４１から読み取った情報を正しく復号することができたか否かを判断する（ステップＳ１３）。
【００８３】
ＩＣカード４１から読み取った情報を正しく復号することができたときは（ステップＳ１３：ＹＥＳ）、ＣＰＵ３３は、続いて、ＩＣカード４１から読み取った情報に動作不許可情報が含まれているか否かを判断する（ステップＳ１４）。現時点において、ＩＣカード４１には動作不許可情報が書き込まれているので、ＩＣカード４１から読み取った情報にはこの動作不許可情報が含まれている。
【００８４】
このように、ＩＣカード４１から読み取った情報に動作不許可情報が含まれているときには（ステップＳ１４：ＹＥＳ）、ＣＰＵ３３は、錠前ユニット２の錠前装置２１の施解錠動作を許可しない（ステップＳ１９）。この結果、錠前装置２１の施錠動作も解錠動作も行われない。その後、処理はステップＳ１１に戻る。
【００８５】
以上、錠前ユニット２における錠前制御装置２２が錠前装置２１の施解錠動作を制御する動作を説明したが、各錠前ユニット３、４における錠前制御装置２２が錠前装置２１の施解錠動作を制御する動作も、錠前ユニット２における錠前制御装置２２が錠前装置２１の施解錠動作を制御する動作と同様である。
【００８６】
このように、本発明の第２の実施形態による錠前システムも、上述した本発明の第１の実施形態による錠前システム１と同様の作用効果を奏する。
【００８７】
なお、上述した実施形態では、動作不許可情報を、他の情報等と識別可能な特定の符号からなる情報である場合を例にあげたが、本発明はこれに限らない。例えば動作不許可情報をフラグとし、このフラグをＩＣカードの記憶部における特定のアドレスに記憶するようにしてもよい。
【００８８】
また、上述した第１の実施形態では、識別情報に登録日時情報を含め、登録日時情報が示す日時に基づいて旧ＩＣカードか新ＩＣカードかを判別する場合を例にあげたが、本発明はこれに限らない。登録日時情報に代えてシーケンス番号（付加番号）を用いてもよい。すなわち、ＩＣカードの登録に際し、ＩＣカードの記憶部と、当該ＩＣカードに対応付けられた錠前ユニットにおける錠前制御装置２２のメモリ３２にシーケンス番号を記憶するようにし、同一の錠前ユニットに対して代替のＩＣカードの登録を行うたびに、ＩＣカードの記憶部および錠前制御装置２２のメモリ３２に記憶するシーケンス番号が示す数値を増加させるようにする。この場合、使用されたＩＣカードが旧ＩＣカード（過去に登録されていたＩＣカード）か新ＩＣカード（現在登録されているＩＣカード）かを判別する際には、当該ＩＣカードから読み取った情報に含まれるシーケンス番号と、錠前制御装置２２のメモリ３２に記憶されているシーケンス番号とを比較し、両者が一致したときには当該ＩＣカードが新ＩＣカードであると判断し、当該ＩＣカードから読み取った情報に含まれるシーケンス番号が示す数値が錠前制御装置２２のメモリ３２に記憶されているシーケンス番号が示す数値よりも小さい場合には、当該ＩＣカードが旧ＩＣカードであると判断する。
【００８９】
また、上述した第１の実施形態において、登録日時情報に代えてシーケンス番号（付加番号）を用いる場合には、同一の錠前ユニットに対して代替のＩＣカードの登録を行うたびに、ＩＣカードの記憶部および錠前制御装置２２のメモリ３２に記憶するシーケンス番号が示す数値を減少させるようにしてもよい。この場合には、使用されたＩＣカードから読み取った情報に含まれるシーケンス番号が示す数値が錠前制御装置２２のメモリ３２に記憶されているシーケンス番号が示す数値よりも大きい場合に、当該ＩＣカードが旧ＩＣカードであると判断する。
【００９０】
また、上述した実施形態では情報記憶カードとして非接触型ＩＣカードを用いる場合を例にあげたが、非接触型ＩＣカードに代えて接触型ＩＣカードを用いることもでき、また、ＩＣタグ等を用いることもできる。さらに、ＩＣカードに代えて磁気カードを用いてもよい。
【００９１】
また、上述した実施形態では、扉および自動ドアについて施解錠を行う錠前ユニットを例にあげたが、本発明は、宅配ボックスやロッカーの管理を行う錠前制御装置を備えた錠前ユニット、エレベータの動作制御を行う動作制御装置を備えたユニット等にも適用することができる。すなわち、本発明の動作制御装置の制御対象は、施錠時に扉等を開扉不能にする電気錠等の錠前装置に限らない。
【００９２】
また、本発明は、請求の範囲および明細書全体から読み取ることのできる発明の要旨または思想に反しない範囲で適宜変更可能であり、そのような変更を伴う動作制御装置、錠前ユニットおよび錠前システムもまた本発明の技術思想に含まれる。
【符号の説明】
【００９３】
１  錠前システム
２、３、４  錠前ユニット
５、６  扉
７  自動ドア
１１、１３、１５、１７、４１、４３  ＩＣカード（情報記憶カード）
１２、１４、１６、１８  識別情報
１９  動作不許可情報
２１  錠前装置（被制御装置）
２２  錠前制御装置（動作制御装置）
３１  カードリーダライタ（通信手段）
３２  メモリ（記憶手段）
３３  ＣＰＵ（判断手段、制御手段）
４２、４４  カード番号（識別情報）
【図１】
2012102581.tif 000003
【図２】
2012102581.tif 000004
【図３】
2012102581.tif 000005
【図４】
2012102581.tif 000006
【図５】
2012102581.tif 000007
【図６】
2012102581.tif 000008
【図７】
2012102581.tif 000009